(57)【要約】  本発明は垂直軸および過速抑制フラップを備えた電流生成風力発電装置に関する。風力発電装置はスラスト軸受のある上部の定常ダクトに設置される。発電装置にはスラスト軸受の下部に３つの（内側）フラップが搭載されている。これらフラップは全く同一である。これらフラップ間の隅角は１２０度に設定される。他の３つのフラップ（外側）が前記フラップに固定される。外側フラップは空気力学的断面を備えて構成される。これらフラップには先端支持用の特殊なリブおよび筐体があり、フラップの内側に搭載されたワイヤーロープで破損時の拡散を防止している。本発明は内側および外側フラップを有する。回転速度が加速すると外側フラップの位置が次第に変化するので、風の入射角が変化しフラップが風の流れに抵抗し、回転速度を一定に維持する。【選択図】図1
2013516575.tif 000002
【特許請求の範囲】
【請求項１】
定常型風入射角を有する内側フラップ（２）および可変型風入射角を有する外側フラップ（８）とを特徴とする過速抑制フラップを備えた垂直軸型風力発電装置において、フラップが発電装置の回転を加速したり減速したりし、構造を損なうことなく、あるいは所望以上の電流を生成することなく発電装置の毎分回転数を所望通り最大限に維持する風力発電装置。
【請求項２】
請求項１の基本的特徴である外側フラップ（抑制フラップ）（８）の回転は、連結部（９）で外側フラップを内側フラップ（２）に搭載し、一対のバネ（１５）（一方は上部支持用、他方は下部支持用）を同時に適用することで実現され、前記一対は２つのピン上で反れ、一方のピン（１２）は内側フラップの内部に搭載され、他方のピン（１４）は前記内部を外側フラップに接続する特殊金属板（７）に搭載され、空気速度が変化し、その速度が所望の限度を超えるとフラップの位置が変化し、結果として低い風速で回転速度が加速する一方、所望する以上に回転速度が大きくなると、発電装置の回転速度を安定させるために製造業者の予測に従って一時停止させ（ブレーキがかかり）、抑制フラップのベースはそれぞれ互いに押し流さて同時に動くので、風方向に向かって同一の傾斜角度を取るように特殊金属板（１０）で互いに接続されるが、これが実現されるのは、特殊金属板（１０）は端部に鈍角の相対継目（４）があることと、その位置の組み合わせとにより、これにより抑制フラップの位置変化のマージン、つまりフラップ上の空気の入射角を定めることが可能となる風力発電装置。
【請求項３】
過速抑制フラップを備えた垂直軸型風力発電装置は２ヶ所の支持を特徴とし、１つは電流発電装置（１８）がある上部ポイントで、２つめのポイントは軸受台（５）より下のポイントであり、駆動は直接で車軸荷重（１）は左右対称であり、構造物を支持する軸（１）は安定している風力発電装置。
【請求項４】
空気の入射角は一対のバネ（１５）（一方は上部支持用、他方は下部支持用）から調整され、前記一対は対応する外側フラップと同様であり、３つあるいは４つあるいは５つの内側フラップと同一数の外側フラップを同一構造にすることが可能で、３対のフラップを選択する方がコスト、重量及び性能面においてより機能的で好ましい風力発電装置。
【発明の詳細な説明】
【技術分野】
【０００１】
本発明は垂直軸および最速送風時における過速抑制フラップを備えた電流を生成する風力発電装置に関する。
【背景技術】
【０００２】
風力発電装置は広く普及し、多くの人に使用され、環境にやさしい電流生成形態の一つである。こうしたシステムを使用することで風の移動エネルギーが首尾よく回転に変化し、平均して強い送風の領域において（適切な接続で）電流を生成するという効果がある。
【０００３】
風力発電装置では送風で回転する水平軸に位置するフラップが通常使用される。回転軸は電流発生器に接続される。大きさや構成方法は製造業者ごとに異なる。
【０００４】
電流風力発電装置には、例えば強風（高速風）時に無制御の高速回転が発生する、あるいは風速が弱いと初期の不作動が目立ち性能が低下するといった欠点がある。システムの不作動は主に強風で圧力供給が可能な傾斜フラップが不足しているためです。
【０００５】
風力発電装置においては建設や設置に特別な規制手順が必要で、安全上の理由から外来者が立ち入るべきではないので、こうしたシステムを居住地域以外で運用設置して使用することが意図されている、という欠点もある。このように設置することで大量の電流が生成されるが、（風力発電装置や家ごとの）家庭用自己消費に電流を生成するのは実際には難しく経済的にも利益がない。この種の構造には他にも重大な欠点がある。フラップは過速の発展を避けるために各フラップの軸に向かって反転しており、こうすることで空気抵抗を減らして最終的には軸の回転速度を下げている。反転の仕組みは通常は電子システムと機械システムの組み合わせからなる。こうしたシステムには求められているほどの信頼性がない。フラップは異なる傾斜になることが多く、この離調が発電装置の性能に影響を与える。
【発明の概要】
【課題を解決するための手段】
【０００６】
本発明は垂直軸および過速発展回避用フラップを備えた電流風力発電装置に関する。
【０００７】
本発明は少量（家庭用）の電流生成の必要性に対応することを目的とし、これまでの製造業者の技術的課題や欠点を全て解消している。小型な構成、簡易な設置、初期不作動の最小化、容易な立ち入り、安全整備、そして何よりも内側および外側フラップの組合わせで制御される最大回転数といったことが達成された。
本発明の特徴としては風力発電装置がスラスト軸受のある上部の定常ダクトに設置されている。３つの（内側）フラップが発電装置のスラスト軸受の下部に実装されている。これらフラップはステンレス板金から構成され全く同一である。また、システムを完璧なバランスを保ち、摩擦や振動により性能が低下しないようにするために、これらフラップ間の隅角を１２０度にして最大可能精度を得るようにしている。他の３つのフラップ（外側）は前記フラップに固定されている。外側フラップは空気力学的断面を備え、太陽照射や天候状況に耐性のある特殊なプラスチックから構成される。これらフラップには先端支持用の特殊なリブおよび筐体があり、フラップの内側に装着されたワイヤーロープで破損時の拡散を防止している。内側フラップにより小さい風速での始動が可能になる一方、外側フラップにより毎分回転数、張力および性能が高くなる。
【０００８】
本発明によると、これは内側フラップに空気が入り力が発生してフラップが回転することによって達成される。外側フラップ（吊りフラップ）は空気力学的断面により更に大きな力を発生させて回転速度を加速させる。同時に継続速度はこうしたフラップが無い場合の継続速度より更に大きくなり、これは外側フラップから形成される領域の増加と空気力学による。風速が次第に所望する以上に増加すると、フラップも次第に位置を変え、風の入射角が変化してフラップが風の流れに抵抗し、回転速度を一定にして電力生成部や風力発電装置自体に有害となりうる過速を回避する。従って、最終的には一定電力生成システムの性能は希望通りとなる。
【図面の簡単な説明】
【０００９】
以下に実例を介して添付図面に対する記載と共に本発明が説明される。
【００１０】
【図１】図１は風力発電装置の部品を全展開した本発明の斜視図である。
【図２】図２は本発明の対応平面図である。
【図３】図３はバネ施工が抑制フラップを保持する構成の詳細を示す。
【図４】図４は発電装置の半断面部を示す。
【発明を実施するための形態】
【００１１】
本発明は安定した地面にネジで張力止めされた丸型断面の定常垂直ベース（１）から構成される。全体構造はベース上で回転する。３つの内側フラップ（２）は抵抗の主な中心となり気流を形成する。空気がフラップを通過すると回転運動が発生する。フラップはその端部が定常垂直ベース（１）の上下に搭載された丸型ディスク（３および１３）にネジで支持されている。フラップは軸受台（５）を介してベース（１）の底に搭載され、分割チョック（６）を介して固定される。特殊部（７）が連結部（９）によって内側フラップに支持され、その端部に抑制フラップ（８）（外側フラップ）が搭載される。特殊部（７）は抑制フラップのベースとなり、連結を形成するピンで内側フラップ（２）に搭載されている。抑制フラップのベースは次から次へ同時に動くので、風方向に応じて同じ傾斜角度を取るために、それぞれの間が特殊金属板（１０）で接続されている。これが実現できるのは特殊金属板（１０）が特殊部（７）に設置された相対継目（４）でフラップの端部に搭載されているからである。その形状は鈍角と同じで、その位置との組み合わせによって抑制フラップの位置変化マージン、つまり抑制フラップ上の空気の入射角を示す。外側フラップの金属板支持部（７）には回転軸に並行して構造物の中心に対峙するピン（１４）がある。バネ（１５）がこのピンにかかり、他方の端部が対向内側フラップの内面に取り付けられたピン（１２）にかかっている。この連結部（９）と、特殊金属板（１０）とバネ（１５）との組み合わせによって、抑制フラップの位置変更が可能になり、最大風速時には発電装置の毎分回転数を一定にする構成から初期設定位置に戻ることが可能になる。大きい遠心力が抑制フラップに発生すると、フラップは最終位置になる。この位置はバネ（１５）のプレストレスを排するので、抑制フラップに対する風の入射角が変化する。結果として、フラップおよび発電装置の最終毎分回転数が安定し、既存のバネがフラップを空気速度が所望限度内にある場合の初期位置に戻す。バネの張力は所望の空気速度限度内の毎分回転数で抵抗するように調整され、製造業者が最終の毎分回転数を増やしたいあるいは減らしたい場合に再調整される。
抑制フラップは特殊な空気力学的断面を備えて設計され、安全上の理由から破損時に部品が拡散するのを防ぐワイヤーロープ（１６）を内部に有する。特殊ワイヤーロープは特殊部（１７）で終結して所望通りに引き伸ばされる。
【００１２】
構造上の発電装置（１８）は一般的な発電装置の形態で構造物の偏心距離に配設される。通常のモータや発電装置の操作とは違って、操作にはコイル（１９）や強磁性コア（２０）の定常巻取や内部永久磁石（２１）に届く外板の回転が含まれる。
【図３】
2013516575.tif 000003
【図４】
2013516575.tif 000004
【図１】
2013516575.tif 000005
【図２】
2013516575.tif 000006
【国際調査報告】
2013516575.tif 000007
2013516575.tif 000008
2013516575.tif 000009